【手続補正書】
【提出日】平成27年7月28日(2015.7.28)
【手続補正１】
【補正対象書類名】特許請求の範囲
【補正対象項目名】全文
【補正方法】変更
【補正の内容】
【特許請求の範囲】
【請求項１】
遊技盤に設けられて常時入賞可能な第１の始動口と、
遊技盤に設けられて開閉可能な普通電動役物により構成された第２の始動口と、
第１の始動口への入賞に起因して抽出された当否判定用の乱数を第１の保留記憶として記憶するとともに、第２の始動口への入賞に起因して抽出された当否判定用の乱数を第２の保留記憶として記憶する保留記憶手段と、
前記第１の保留記憶又は前記第２の保留記憶に基づいて当りか否かの当否判定を行う当否判定手段と、
前記第１の保留記憶よりも優先して前記第２の保留記憶に基づく前記当否判定を実行する当否判定優先実行手段と、
前記当否判定が当りであると判定されると大入賞口を開放させる特別遊技へと移行する特別遊技移行手段と、
遊技盤に設けられて常時入球可能な第３の始動口と、
該第３の始動口への入球に起因して当否判定を実行し当否判定の結果が当りであると、普通電動役物を開放させる普電開放手段と、
前記特別遊技終了後に前記普通電動役物が開放するときに開放時間を延長せしめることが可能な開放延長手段と、を備え、
かつ前記特別遊技移行手段は前記第２の保留記憶の当否判定による当りの方が前記第１の保留記憶による当りよりも遊技者にとって有利な内容の特別遊技が選択される割合が高くなるように構成された弾球遊技機において、
前記遊技盤には、ほぼ中央に図柄表示装置を設けて、該図柄表示装置の左右両側の位置にそれぞれ遊技球が前記図柄表示装置をまわり込むように流下可能な流下通路を構成し、
両流下通路の下流位置で、両流下通路からの遊技球が交差する位置に前記第２の始動口を配置せしめて、第２の始動口へ各流下通路からの遊技球を入賞可能となす一方、
いずれか一方の流下通路には第２の始動口よりも上流位置に、開閉可能に設けられて閉鎖状態では下流の第２の始動口へ向けて流下する遊技球の流下を妨げることなく、開放状態では遊技球の入賞を可能とする前記大入賞口を配置せしめ、
少なくとも前記一方の流下通路には遊技球が通過することにより入球したとみなすゲート式の前記第３の始動口を配置せしめるとともに、
前記特別遊技中に前記普電開放手段による当否判定が当りで、かつ前記第２の保留記憶の記憶数が予め設定された所定数以下であるときに普通電動役物を開放するときは、遊技者に普通電動役物が開放することを報知する普電開放報知手段を備えたことを特徴とする弾球遊技機。
【請求項２】
遊技盤に設けられて常時入賞可能な第１の始動口と、
遊技盤に設けられて開閉可能な普通電動役物により構成された第２の始動口と、
第１の始動口への入賞に起因して抽出された当否判定用の乱数を第１の保留記憶として記憶するとともに、第２の始動口への入賞に起因して抽出された当否判定用の乱数を第２の保留記憶として記憶する保留記憶手段と、
前記第１の保留記憶又は前記第２の保留記憶に基づいて当りか否かの当否判定を行う当否判定手段と、
前記第１の保留記憶よりも優先して前記第２の保留記憶に基づく前記当否判定を実行する当否判定優先実行手段と、
前記当否判定が当りであると判定されると大入賞口を開放させる特別遊技へと移行する特別遊技移行手段と、
遊技盤に設けられて常時入球可能な第３の始動口と、
該第３の始動口への入球に起因して当否判定を実行し当否判定の結果が当りであると、普通電動役物を開放させる普電開放手段と、
前記特別遊技終了後に前記普通電動役物が開放するときに開放時間を延長せしめることが可能な開放延長手段と、を備え、
かつ前記特別遊技移行手段は前記第２の保留記憶の当否判定による当りの方が前記第１の保留記憶による当りよりも遊技者にとって有利な内容の特別遊技が選択される割合が高くなるように構成された弾球遊技機において、
前記遊技盤には、ほぼ中央に図柄表示装置を設けて、該図柄表示装置の左右両側の位置にそれぞれ遊技球が前記図柄表示装置をまわり込むように流下可能な流下通路を構成し、
両流下通路の下流位置で、両流下通路からの遊技球が交差する位置に前記第２の始動口を配置せしめて、第２の始動口へ各流下通路からの遊技球を入賞可能となす一方、
いずれか一方の流下通路には第２の始動口よりも上流位置に、開閉可能に設けられて閉鎖状態では下流の第２の始動口へ向けて流下する遊技球の流下を妨げることなく、開放状態では遊技球の入賞を可能とする前記大入賞口を配置せしめ、
少なくとも前記一方の流下通路には遊技球が通過することにより入球したとみなすゲート式の前記第３の始動口を配置せしめ、
前記普電開放手段は前記第２の始動口への入賞が容易となる第１の開放態様と、該第１の開放態様に比べて第２の始動口への入賞が困難な第２の開放態様とに設定可能に構成し、
前記特別遊技中に前記普電開放手段による当否判定が当りで普通電動役物を開放するときは、前記第１の開放態様で普通電動役物を開放するときのみ、遊技者に普通電動役物が開放することを報知する普電開放報知手段を備えたことを特徴とする弾球遊技機。
【手続補正２】
【補正対象書類名】明細書
【補正対象項目名】０００６
【補正方法】変更
【補正の内容】
【０００６】
請求項１に記載の発明は、遊技盤に設けられて常時入賞可能な第１の始動口と、
遊技盤に設けられて開閉可能な普通電動役物により構成された第２の始動口と、
第１の始動口への入賞に起因して抽出された当否判定用の乱数を第１の保留記憶として記憶するとともに、第２の始動口への入賞に起因して抽出された当否判定用の乱数を第２の保留記憶として記憶する保留記憶手段と、
前記第１の保留記憶又は前記第２の保留記憶に基づいて当りか否かの当否判定を行う当否判定手段と、
前記第１の保留記憶よりも優先して前記第２の保留記憶に基づく前記当否判定を実行する当否判定優先実行手段と、
前記当否判定が当りであると判定されると大入賞口を開放させる特別遊技へと移行する特別遊技移行手段と、
遊技盤に設けられて常時入球可能な第３の始動口と、
該第３の始動口への入球に起因して当否判定を実行し当否判定の結果が当りであると、普通電動役物を開放させる普電開放手段と、
前記特別遊技終了後に前記普通電動役物が開放するときに開放時間を延長せしめることが可能な開放延長手段と、を備え、
かつ前記特別遊技移行手段は前記第２の保留記憶の当否判定による当りの方が前記第１の保留記憶による当りよりも遊技者にとって有利な内容の特別遊技が選択される割合が高くなるように構成された弾球遊技機において、
前記遊技盤には、ほぼ中央に図柄表示装置を設けて、該図柄表示装置の左右両側の位置にそれぞれ遊技球が前記図柄表示装置をまわり込むように流下可能な流下通路を構成し、
両流下通路の下流位置で、両流下通路からの遊技球が交差する位置に前記第２の始動口を配置せしめて、第２の始動口へ各流下通路からの遊技球を入賞可能となす一方、
いずれか一方の流下通路には第２の始動口よりも上流位置に、開閉可能に設けられて閉鎖状態では下流の第２の始動口へ向けて流下する遊技球の流下を妨げることなく、開放状態では遊技球の入賞を可能とする前記大入賞口を配置せしめ、
少なくとも前記一方の流下通路には遊技球が通過することにより入球したとみなすゲート式の前記第３の始動口を配置せしめるとともに、
前記特別遊技中に前記普電開放手段による当否判定が当りで、かつ前記第２の保留記憶の記憶数が予め設定された所定数以下であるときに普通電動役物を開放するときは、遊技者に普通電動役物が開放することを報知する普電開放報知手段を備えた構成とする。
【手続補正３】
【補正対象書類名】明細書
【補正対象項目名】０００７
【補正方法】変更
【補正の内容】
【０００７】
請求項１に記載の発明によれば、第２の始動口へは左右の何れの流下通路からも入賞可能とする一方、第２の始動口よりも上流側に大入賞口を設け、かつ一方の流下通路からのみ大入賞口へ入賞可能な構成としたので、特別遊技中に普通電動役物の作動による大入賞口への入賞を妨げない構成が実現できる。そして特別遊技中における普通電動役物の開放を報知するので、遊技者は報知されたときのみ第２の始動口への流下通路側へ向けて遊技球の発射の調整をするだけでよいので誰でも容易に第２の特別図柄の保留記憶を貯めることが可能であり、開放延長機能の作動を有効に活用し、これを楽しむことができる。特に第２の保留記憶の記憶数が所定数以下のときだけ普通電動役物の開放を報知するので、保留記憶が満杯で第２の始動口への入賞をさせなくてもいい状態においては報知しないので、遊技者に不要なストレスを与えずに済む。また特別遊技終了後は何れの流下通路でも第２の始動口へ向けて流下するので、特別遊技中に大入賞口を狙っていてもその狙いを変えずに済む。
【手続補正４】
【補正対象書類名】明細書
【補正対象項目名】０００８
【補正方法】変更
【補正の内容】
【０００８】
請求項２に記載の発明は、遊技盤に設けられて常時入賞可能な第１の始動口と、
遊技盤に設けられて開閉可能な普通電動役物により構成された第２の始動口と、
第１の始動口への入賞に起因して抽出された当否判定用の乱数を第１の保留記憶として記憶するとともに、第２の始動口への入賞に起因して抽出された当否判定用の乱数を第２の保留記憶として記憶する保留記憶手段と、
前記第１の保留記憶又は前記第２の保留記憶に基づいて当りか否かの当否判定を行う当否判定手段と、
前記第１の保留記憶よりも優先して前記第２の保留記憶に基づく前記当否判定を実行する当否判定優先実行手段と、
前記当否判定が当りであると判定されると大入賞口を開放させる特別遊技へと移行する特別遊技移行手段と、
遊技盤に設けられて常時入球可能な第３の始動口と、
該第３の始動口への入球に起因して当否判定を実行し当否判定の結果が当りであると、普通電動役物を開放させる普電開放手段と、
前記特別遊技終了後に前記普通電動役物が開放するときに開放時間を延長せしめることが可能な開放延長手段と、を備え、
かつ前記特別遊技移行手段は前記第２の保留記憶の当否判定による当りの方が前記第１の保留記憶による当りよりも遊技者にとって有利な内容の特別遊技が選択される割合が高くなるように構成された弾球遊技機において、
前記遊技盤には、ほぼ中央に図柄表示装置を設けて、該図柄表示装置の左右両側の位置にそれぞれ遊技球が前記図柄表示装置をまわり込むように流下可能な流下通路を構成し、
両流下通路の下流位置で、両流下通路からの遊技球が交差する位置に前記第２の始動口を配置せしめて、第２の始動口へ各流下通路からの遊技球を入賞可能となす一方、
いずれか一方の流下通路には第２の始動口よりも上流位置に、開閉可能に設けられて閉鎖状態では下流の第２の始動口へ向けて流下する遊技球の流下を妨げることなく、開放状態では遊技球の入賞を可能とする前記大入賞口を配置せしめ、
少なくとも前記一方の流下通路には遊技球が通過することにより入球したとみなすゲート式の前記第３の始動口を配置せしめ、
前記普電開放手段は前記第２の始動口への入賞が容易となる第１の開放態様と、該第１の開放態様に比べて第２の始動口への入賞が困難な第２の開放態様とに設定可能に構成し、
前記特別遊技中に前記普電開放手段による当否判定が当りで普通電動役物を開放するときは、前記第１の開放態様で普通電動役物を開放するときのみ、遊技者に普通電動役物が開放することを報知する普電開放報知手段を備えた構成とする。
【手続補正５】
【補正対象書類名】明細書
【補正対象項目名】０００９
【補正方法】変更
【補正の内容】
【０００９】
請求項２に記載の発明によれば、第２の始動口へは左右の何れの流下通路からも入賞可能とする一方、第２の始動口よりも上流側に大入賞口を設け、かつ一方の流下通路からのみ大入賞口へ入賞可能な構成としたので、特別遊技中に普通電動役物の作動による大入賞口への入賞を妨げない構成が実現できる。普通電動役物の開放態様として第２の始動口への入賞が容易な態様とそうでない態様とを設けたので、普通図柄の当否判定に関する遊技の面白味が増す。また第２の始動口への入賞が容易な開放態様において、特別遊技中における普通電動役物の開放を報知するので、遊技者は報知されたときのみ第２の始動口への流下通路側へ向けて遊技球の発射の調整をするだけでよいので誰でも効率よく第２の始動口を狙うことができ、容易に第２の特別図柄の保留記憶を貯めることが可能であり、開放延長機能の作動を有効に活用し、これを楽しむことができる。また通常時と開放延長機能作動時における当選確率を同等とし、開放パターンの選択率により実質の開放確率を変化させるようにすれば、通常時と開放延長時の開放確率を１パターンのみ備えるだけでよく遊技を制御するプログラム処理の効率がよい。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】